【手続補正書】
【提出日】平成22年9月21日(2010.9.21)
【手続補正１】
【補正対象書類名】特許請求の範囲
【補正対象項目名】全文
【補正方法】変更
【補正の内容】
【特許請求の範囲】
【請求項１】
第１合わせ面を含む第１締結部材であって、該第１締結部材は第１長手端および第２長手端を有し、該第１合わせ面は該第１締結部材の第１長手端と第２長手端の間で第１長手長さ延在する、第１締結部材と；
第２合わせ面を含む第２締結部材であって、該第２締結部材は第１長手端および第２長手端を有し、該第２合わせ面は該第２締結部材の第１長手端と第２長手端の間で第２長手長さ延在し、該第２合わせ面は該第１合わせ面と解放可能にかみ合わせるために該第１合わせ面に略対向して配置されるように適合している、第２締結部材と；
開き端と閉じ端を含むスライダー本体を備えたスライダーであって、該閉じ端は該第１締結部材の第１合わせ面が該第２締結部材の第２合わせ面とかみ合い係合させられる拘束部を有し、該スライダーが閉じ方向に移動するときに該第１締結部材および該第２締結部材は該スライダー内部を該開き端から該閉じ端へと通過して該スライダーは該第１合わせ面を該第２合わせ面とかみ合い係合させ、該スライダー本体の少なくとも一部はその閉じ端にて傾斜した係合面を含む、スライダーと；
第１収容部および第２収容部を備えた停止ブロックであって、該第１収容部は該第２収容部にヒンジで相互連結され、該第１および第２収容部の一方が該第１および第２締結部材の一方の該第１および第２長手端の少なくとも１つに固着されており、該停止ブロックは少なくとも第１閉じ位置および第２開き位置を有し、該スライダー本体の傾斜した係合面が該停止ブロックの該第１および第２収容部の少なくとも１つの受け面に接触するときに該スライダーは該停止ブロックを該第１閉じ位置から該第２開き位置まで移動させ、該第１および第２締結部材の一方の該第１および第２長手端の該少なくとも１つと別の１つにある把持部が該第２開き位置にある該停止ブロックに送り込まれそして該スライダーが該停止ブロックから離れて該閉じ方向に進められて該停止ブロックを該第１閉じ位置に配置するときに該停止ブロックは該停止ブロック内部で少なくとも該把持部を解放可能に固定する、停止ブロックと
を備える締結システム。
【請求項２】
前記スライダー本体の閉じ端がくさび形状を備える、請求項１に記載の締結システム。
【請求項３】
前記停止ブロックが複数のリブ付き係合面を含む内側面を備える、請求項２に記載の締結システム。
【請求項４】
前記第１および第２締結部材の一方の前記第１および第２長手端の少なくとも１つに固着させた上部停止部をさらに備える、請求項１に記載の締結システム。
【請求項５】
前記上部停止部が合わせ面を備え、前記スライダーが舌／溝部を備え、前記上部停止部の合わせ面が前記スライダーの舌／溝部に係合するように適合している、請求項４に記載の締結システム。
【請求項６】
前記第１締結部材、前記第２締結部材、前記停止ブロックおよび前記上部停止部のうち少なくとも１つの内部に位置する電線をさらに備える、請求項４に記載の締結システム。
【請求項７】
第１合わせ面を含む第１締結部材であって、該第１締結部材は第１長手端および第２長手端を有し、該第１合わせ面は該第１締結部材の第１長手端と第２長手端の間で第１長手長さ延在する、第１締結部材と；
第２合わせ面を含む第２締結部材であって、該第２締結部材は第１長手端および第２長手端を有し、該第２合わせ面は該第２締結部材の第１長手端と第２長手端の間で第２長手長さ延在し、該第２合わせ面は該第１合わせ面と解放可能にかみ合わせるために該第１合わせ面に略対向して配置されるように適合している、第２締結部材と；
開き端と閉じ端を含むスライダー本体を備えたスライダーであって、該閉じ端は該第１締結部材の第１合わせ面が該第２締結部材の第２合わせ面とかみ合い係合させられる拘束部を有し、該スライダーが閉じ方向に移動するときに該第１締結部材および該第２締結部材は該スライダー内部を該開き端から該閉じ端へと通過して該スライダーは該第１合わせ面を該第２合わせ面とかみ合い係合させる、スライダーと；
該第１および第２締結部材の一方の該第１および第２長手端の少なくとも１つに固着された停止ブロックであって、受容チャンネルが該停止ブロック内部に位置し、回転可能なブレーキが該受容チャンネルの少なくとも一部の内部に位置し、該第１および第２締結部材の一方の該第１および第２長手端の該少なくとも１つと別の１つにある把持部が該停止ブロックに送り込まれ該回転可能なブレーキが該把持部と係合するときに該停止ブロックは該停止ブロック内部で少なくとも該把持部を解放可能に固定する、停止ブロックと
を備える締結システム。
【請求項８】
前記回転可能なブレーキがカムを備える、請求項７に記載の締結システム。
【請求項９】
前記回転可能なブレーキが、前記停止ブロックの長軸に実質的に垂直に向いた回転軸を有するローラーを備える、請求項７に記載の締結システム。
【請求項１０】
前記回転可能なブレーキが前記把持部から前記回転可能なブレーキを離脱させるための解放機構を備える、請求項７に記載の締結システム。
【請求項１１】
前記第１および第２締結部材の一方の前記第１および第２長手端の少なくとも１つに固着させた上部停止部をさらに備える、請求項７に記載の締結システム。
【請求項１２】
第１合わせ面を含む第１締結部材であって、該第１締結部材は第１長手端および第２長手端を有し、該第１合わせ面は該第１締結部材の第１長手端と第２長手端の間で第１長手長さ延在する、第１締結部材と；
第２合わせ面を含む第２締結部材であって、該第２締結部材は第１長手端および第２長手端を有し、該第２合わせ面は該第２締結部材の第１長手端と第２長手端の間で第２長手長さ延在し、該第２合わせ面は該第１合わせ面と解放可能にかみ合わせるために該第１合わせ面に略対向して配置されるように適合している、第２締結部材と；
開き端と閉じ端を含むスライダー本体を備えたスライダーであって、該閉じ端は該第１締結部材の第１合わせ面が該第２締結部材の第２合わせ面とかみ合い係合させられる拘束部を有し、該スライダーが閉じ方向に移動するときに該第１締結部材および該第２締結部材は該スライダー内部を該開き端から該閉じ端へと通過して該スライダーは該第１合わせ面を該第２合わせ面とかみ合い係合させる、スライダーと；
該第１および第２締結部材の一方の該第１および第２長手端の少なくとも１つに固着された第１ブロック部材と、該第１および第２締結部材の一方の該第１および第２長手端の該少なくとも１つと別の１つに固着された第２ブロック部材とを備える停止ブロックであって、該第１ブロック部材は該第２ブロック部材に解放可能に係合して連結したブロック部材を形成する、停止ブロックと
を備える締結システム。
【請求項１３】
前記第１および第２締結部材の一方の前記第１および第２長手端の少なくとも１つに固着させた上部停止部をさらに備える、請求項１２に記載の締結システム。
【請求項１４】
スライダーと一緒に使用するための締結システムであって、
第１合わせ面を含む第１締結部材であって、該第１締結部材は第１長手端および第２長手端を有し、該第１合わせ面は該第１締結部材の第１長手端と第２長手端の間で第１長手長さ延在する、第１締結部材と；
第２合わせ面を含む第２締結部材であって、該第２締結部材は第１長手端および第２長手端を有し、該第２合わせ面は該第２締結部材の第１長手端と第２長手端の間で第２長手長さ延在し、該第２合わせ面は、該スライダーが該第１合わせ面を該第２合わせ面とかみ合わせ接触させるときに、該第１合わせ面と解放可能にかみ合わせるために該第１合わせ面に略対向して配置されるように適合している、第２締結部材と；
該第１締結部材および該第２締結部材の少なくとも１つの該長手長さの少なくとも一部に沿って延在する、電線および光ファイバーのうち少なくとも１つを備える少なくとも１つの通信素子と
を備える締結システム。
【請求項１５】
前記通信素子が、前記第１締結部材および前記第２締結部材の前記少なくとも１つの材料内部に位置する、請求項１４に記載の締結システム。
【請求項１６】
前記通信素子が、前記第１合わせ面および前記第２合わせ面の舌／溝部分の表面に沿って位置する、請求項１４に記載の締結システム。
【請求項１７】
第１締結部材および第２締結部材と一緒に使用するためのスライダーであって、該第１締結部材および第２締結部材は、長軸に沿って向いた合わせ面を備え、該第１および第２締結部材の長手長さに沿って長手方向に当該スライダーを移動させたときに解放可能にかみ合うように適合しており、当該スライダーが、
締結機構を使用して相互連結するように適合した複数の部分を備えたスライダー本体を備える、スライダー。
【請求項１８】
前記締結機構が前記スライダー本体の中間部分を相互連結し、該中間部分が、前記スライダーを開き方向に移動させたときに前記合わせ面を分離する、請求項１７に記載のスライダー。
【請求項１９】
第１締結部材および第２締結部材と一緒に使用するためのスライダーであって、該第１締結部材および第２締結部材は、長軸に沿って向いた合わせ面を備え、該第１および第２締結部材の長手長さに沿って長手方向に当該スライダーを移動させたときに解放可能にかみ合うように適合しており、当該スライダーが、
ローラーが相互連結されたスライダー本体を備え、該ローラーは、当該スライダーを移動させたときに該第１および第２締結部材の少なくとも１つと接触する位置にある、スライダー。
【請求項２０】
前記ローラーが、前記長軸に対して実質的に垂直に向いた回転軸を備える、請求項１９に記載のスライダー。
【請求項２１】
第１合わせ面および裏面を有する頭部を含む第１締結部材であって、該頭部の裏面は少なくとも１つの受容部を備える、第１締結部材と、
第２合わせ面を含む第２締結部材であって、該第２合わせ面は、該第１合わせ面を該第２合わせ面とかみ合わせ接触させるときに、該第１合わせ面と解放可能にかみ合わせるために該第１合わせ面に略対向して配置されるように適合している、第２締結部材と；
該少なくとも１つの受容部内部に挿入されるように適合している少なくとも１つのインサートと
を備える締結システム。
【請求項２２】
前記インサートが、舌／溝構成によって前記受容部内部に保持される、請求項２１に記載の締結システム。
【請求項２３】
前記インサートは、リフレクタ、流体運搬導管、ワイヤ、通信素子、バンパーおよび装飾インサートのうち少なくとも１つを備える、請求項２１に記載の締結システム。
【請求項２４】
前記第１合わせ面を前記第２合わせ面とかみ合わせ接触させるためのスライダーをさらに備える、請求項２１に記載の締結システム。
【請求項２５】
前面に第１合わせ面および裏面に第２合わせ面を有する頭部を含む第１締結部材と、
フォーク形頭部を含む第２締結部材であって、該フォーク形頭部の第１内側部は第１内側合わせ面を含み、該フォーク形頭部の対向する第２内側部は第２内側合わせ面を含む、第２締結部材と
を備え、該第１締結部材の頭部は、該第１合わせ面が該第１内側合わせ面と解放可能にかみ合い、該第２合わせ面が該第２内側合わせ面と解放可能にかみ合うように、該第２締結部材のフォーク形頭部の中で解放可能にかみ合うように適合している、締結システム。
【請求項２６】
前記第１頭部が前記第２締結部材の内部で解放可能にかみ合うとき、すき間が前記第２締結部材のフォーク形頭部の内部に形成される、請求項２５に記載の締結システム。
【請求項２７】
前記すき間が流体の導管を含む、請求項２６に記載の締結システム。
【請求項２８】
前記すき間を圧力試験にかけることができる、請求項２６に記載の締結システム。
【請求項２９】
少なくとも第１締結部材および第２締結部材と一緒に使用するためのスライダーであって、該第１締結部材は第１合わせ面を含み、該第２締結部材は第２合わせ面を含み、該第１合わせ面および第２合わせ面は、長軸に沿って向いており、該第１および第２締結部材の長手長さに沿って長手方向に当該スライダーを移動させたときに解放可能にかみ合うように適合しており、当該スライダーが、
開き端および閉じ端を含むスライダー本体であって、該開き端は上側部分および下側部分ならびに該上側部分と該下側部分の間の中間部分を有し、該中間部分は、当該スライダーを開き方向に移動させたときに、該第１締結部材の第１合わせ面と該第２締結部材の第２合わせ面との間に位置させるため該開き端のあたりに位置する、スライダー本体と、
該スライダー本体の中間部分に連結されたプルタブであって、当該スライダーを該開き方向に引いたときの第１位置から当該スライダーを閉じ位置に引いたときの第２位置へと回転可能なプルタブとを備える、スライダー。
【請求項３０】
前記プルタブが、前記第１および第２合わせ面の長軸に対して実質的に垂直に向いた回転可能なピンによって、前記中間部分に相互連結されている、請求項２９に記載のスライダー。
【請求項３１】
前記回転可能なピンの横断面が実質的に円形である、請求項３０に記載のスライダー。
【請求項３２】
前記ピンが非円形断面を有する接触部分を備え、前記スライダーが前記第１および第２合わせ面の長軸に沿って移動するときに、該接触部分が前記第１および第２合わせ面の少なくとも１つと接触する、請求項３０に記載のスライダー。
【請求項３３】
前記非円形断面が実質的にくさび形である、請求項３２に記載のスライダー。
【請求項３４】
第１締結部材および第２締結部材と一緒に使用するためのスライダーであって、該第１締結部材および第２締結部材は、長軸に沿って向いた合わせ面を備え、該第１および第２締結部材の長手長さに沿って長手方向に当該スライダーを移動させたときに解放可能にかみ合うように適合しており、当該スライダーが、
開き端および閉じ端を含むスライダー本体であって、該開き端は上側部分および下側部分ならびに該上側部分と該下側部分の間の中間部分を有し、該中間部分は、当該スライダーを開き方向に移動させたときに、該第１締結部材の第１合わせ面と該第２締結部材の第２合わせ面との間に位置させるため該開き端のあたりに位置し、該中間部分は、該上側部分に解放可能に相互連結された第１の側と、該下側部分に解放可能に相互連結された第２の側とを有し、該中間部分が該上側部分および下側部分から分離可能である、スライダー本体を備える、スライダー。
【請求項３５】
前記中間部分が、前記上側および下側部分から取り外し、交換用中間部分を挿入して交換可能である、請求項３４に記載のスライダー。
【請求項３６】
第１合わせ面を有する第１頭部を含む第１締結部材であって、第１頭部は該第１合わせ面の長手長さに沿って延在する、磁石および強磁性材料のうち少なくとも１つを含む、第１締結部材と、
第２合わせ面を有する第２頭部を含む第２締結部材であって、該第２合わせ面は、該第１合わせ面を該第２合わせ面とかみ合わせ接触させるときに、該第１合わせ面と解放可能にかみ合わせるために該第１合わせ面に略対向して配置されるように適合している、第２締結部材と、
開き端および閉じ端を含むスライダー本体を備えたスライダーであって、該開き端および該閉じ端は上側部分および下側部分を有し、該開き端の上側部分および下側部分のうち少なくとも１つは、スライダー磁石およびスライダー強磁性材料のうち少なくとも１つを含み、該第１頭部と該開き端の上側部分および下側部分の該少なくとも１つとの間に磁力が適用される、スライダーと
を備える締結システム。
【請求項３７】
前記第２頭部が、磁石および強磁性材料のうち少なくとも１つを備える、請求項３６に記載の締結システム。
【請求項３８】
前記スライダー本体の閉じ端が、磁石および強磁性材料のうち少なくとも１つを備えない、請求項３６に記載の締結システム。
【請求項３９】
前記第１頭部および前記第２頭部が磁気的に引き付け合う、請求項３６に記載の締結システム。
【請求項４０】
前面に第１の第１合わせ面および裏面に第１の第２合わせ面を有する第１頭部を含む第１締結部材であって、該第１頭部は第１の第３合わせ面を含む第１延長部を有する、第１締結部材と、
前面に第２の第１合わせ面および裏面に第２の第２合わせ面を有する第２頭部を含む第２締結部材であって、該第２頭部は第２の第３合わせ面を含む第２延長部を有し、該第２の第３合わせ面は、該第１締結部材の第１の第３合わせ面と解放可能にかみ合って中間シールを形成するように適合している、第２締結部材と、
第１キャップ合わせ面および間隔が空いた第２キャップ合わせ面を有するキャップ部材であって、該第１キャップ合わせ面は、該第１締結部材の第１の第１合わせ面と解放可能にかみ合うように適合し、第２キャップ合わせ面は、該第２締結部材の第２の第１合わせ面と解放可能にかみ合うように適合している、キャップ部材と、
第１ベース合わせ面および間隔が空いた第２ベース合わせ面を有するベース部材であって、該第１ベース合わせ面は、該第１締結部材の第１の第２合わせ面と解放可能にかみ合うように適合し、第２ベース合わせ面は、該第２締結部材の第２の第２合わせ面と解放可能にかみ合うように適合している、ベース部材と
を備える多層締結システムであって、組立時に、該キャップ部材が第１の側で該中間シールの境界となり、該ベース部材が第２の側で該中間シールの境界となる、多層締結システム。
【請求項４１】
組立時に、第１すき間が前記中間シールと前記キャップ部材の内側部との間に形成され、第２すき間が前記中間シールと前記ベース部材の内側部との間に形成される、請求項４０に記載の締結システム。
【請求項４２】
前記第１すき間および第２すき間のうち少なくとも１つを圧力試験にかけることができる、請求項４１に記載の締結システム。
【請求項４３】
第２締結部材と組み合わせて使用するための第１締結部材であって、該第１および第２締結部材は解放可能にかみ合うように適合され、当該第１締結部材は、
前面および裏面を含む頭部であって、該前面は複数の舌／溝構造を備えた合わせ面を有し、該複数の舌／溝構造の最も外側の舌は、傾斜した終端面を有する延長部を備えた回転防止機構を含み、該傾斜した終端面から延在する平面は角度φで裏側平面と交差し、該裏側平面は該裏面の外側面と同一平面にあり、φは約５５〜７５度の範囲である、頭部を備える、第１締結部材。
【請求項４４】
前記頭部が尾部と相互連結され、該尾部が前記裏側平面と実質的に平行な平坦面を含む、請求項４３に記載の第１締結部材。
【請求項４５】
前記頭部が移行部により前記尾部と相互連結され、該移行部が内側移行面を備え、該内側移行面が前記傾斜した終端面と実質的に平行である、請求項４３に記載の第１締結部材。
【請求項４６】
第２締結部材と組み合わせて使用するための第１締結部材であって、該第１および第２締結部材は解放可能にかみ合うように適合され、当該第１締結部材は、
尾部上面および尾部下面を備える尾部であって、該尾部上面は該尾部下面と実質的に平行であり、該尾部上面は該尾部下面から間隔を空けて尾部厚さＴを画定する、尾部と、
移行部によって該尾部と相互連結される頭部であって、該移行部は高さＨを有する内側移行面を含み、高さＨは該尾部厚さＴより大きく、該頭部は前面および裏面を含み、該前面は複数の舌／溝構造を備えた合わせ面を有し、該内側移行面は該複数の舌／溝構造の最も内側の溝表面に対応し、該複数の舌／溝構造の最も外側の舌は傾斜した終端面を含み、該尾部下面と同一平面にあり該尾部下面から該頭部を通って延在する下側尾部平面は、角度φで該傾斜した終端面と交差し、φは該下側尾部平面から上で定義され、φは約９０度未満であり、該内側移行面は該傾斜した終端面と実質的に平行である、頭部と
を備える、第１締結部材。
【請求項４７】
前記最も外側の舌が少なくとも１つの先端を有し、該少なくとも１つの先端の下側表面と同一平面にある先端平面が、該先端平面を該最も外側の舌を通って延ばしたときに、角度θで前記傾斜した終端面と交差し、ここでθは該先端平面から下で測定され、θが約８５〜９５度の範囲である、請求項４６に記載の第１締結部材。
【請求項４８】
φが約５５〜７５度の範囲である、請求項４６に記載の第１締結部材。
【請求項４９】
前記頭部の裏側が裏側表面を備え、該裏側表面が前記下側尾部平面と実質的に平行である、請求項４６に記載の第１締結部材。
【請求項５０】
第１合わせ面を含む第１締結部材であって、該第１締結部材は第１長手端および第２長手端を有し、該第１合わせ面は該第１締結部材の第１長手端と第２長手端の間で第１長手長さ延在する、第１締結部材と；
第２合わせ面を含む第２締結部材であって、該第２締結部材は第１長手端および第２長手端を有し、該第２合わせ面は該第２締結部材の第１長手端と第２長手端の間で第２長手長さ延在し、該第２合わせ面は該第１合わせ面と解放可能にかみ合わせるために該第１合わせ面に略対向して配置されるように適合している、第２締結部材と；
開き端と閉じ端を含むスライダー本体を備えたスライダーであって、該閉じ端は該第１締結部材の第１合わせ面が該第２締結部材の第２合わせ面とかみ合い係合させられる拘束部を有し、該スライダーが閉じ方向に移動するときに該第１締結部材および該第２締結部材は該スライダー内部を該開き端から該閉じ端へと通過して該スライダーは該第１合わせ面を該第２合わせ面とかみ合い係合させる、スライダーと；
ファスナー停止部であって、
該第１締結部材の第１長手端に固着された第１端部材、および
該第２締結部材の第１長手端に固着された第２端部材
を備えたファスナー停止部と
を備える締結システムであって、
該スライダーが該閉じ方向に該第１端部材および第２端部材に向かって進められるときに該第１端部材および該第２端部材は合わさって該ファスナー停止部を形成し、該スライダーが該閉じ方向にさらに移動することが防止される、締結システム。
【請求項５１】
第１合わせ面を含む第１締結部材であって、該第１締結部材は第１長手端および第２長手端を有し、該第１合わせ面は該第１締結部材の第１長手端と第２長手端の間で第１長手長さ延在する、第１締結部材と；
第２合わせ面を含む第２締結部材であって、該第２締結部材は第１長手端および第２長手端を有し、該第２合わせ面は該第２締結部材の第１長手端と第２長手端の間で第２長手長さ延在し、該第２合わせ面は該第１合わせ面と解放可能にかみ合わせるために該第１合わせ面に略対向して配置されるように適合している、第２締結部材と；
開き端と閉じ端を含むスライダー本体を備えたスライダーであって、該閉じ端は該第１締結部材の第１合わせ面が該第２締結部材の第２合わせ面とかみ合い係合させられる拘束部を有し、該スライダーが閉じ方向に移動するときに該第１締結部材および該第２締結部材は該スライダー内部を該開き端から該閉じ端へと通過して該スライダーが該第１合わせ面を該第２合わせ面とかみ合い係合させる、スライダーと；
該第１締結部材の第１長手端に固着されかつ該第２締結部材の第１長手端に固着されたファスナー停止部と
を備える締結システムであって、
該スライダーが該閉じ方向に該ファスナー停止部に向かって進められるときに、該スライダーが該閉じ方向にさらに移動することが防止される、締結システム。
【請求項５２】
前記スライダーが、前記第１締結部材の第１合わせ面とかみ合いかつ前記第２締結部材の第２合わせ面とかみ合うスライダー内側構造を備え、
前記ファスナー停止部が、前記第１締結部材の第１合わせ面とかみ合いかつ前記第２締結部材の第２合わせ面とかみ合う合わせ構造を備え、前記スライダーが前記閉じ方向に前記ファスナー停止部に向かって進められるときに、前記ファスナー停止部の該合わせ構造が該スライダー内側構造とかみ合う、請求項５１に記載の締結システム。
【請求項５３】
前記第１締結部材、第２締結部材、スライダーおよびファスナー停止部が、気密性および防水性のうち一方または両方であるファスナーを形成する、請求項５２に記載の締結システム。
【請求項５４】
第１締結部材および第２締結部材と一緒に使用するためのスライダーであって、該第１締結部材および第２締結部材は、長軸に沿って向いた合わせ面を備え、該第１および第２締結部材の長手長さに沿って長手方向に当該スライダーを移動させたときに解放可能にかみ合うように適合しており、当該スライダーが、
スライダー本体の内側面に相互連結された少なくとも１つの回転部材を含むスライダー本体であって、該少なくとも１つの回転部材は、当該スライダーが移動したときに、該第１および第２締結部材の少なくとも一方と接触するように適合している、スライダー本体を備える、スライダー。
【請求項５５】
前記少なくとも１つの回転部材が、前記長軸に実質的に垂直に向いた回転軸を有する少なくとも１つのローラーを備える、請求項５４に記載のスライダー。
【請求項５６】
前記少なくとも１つの回転部材が少なくとも１つの車輪を備える、請求項５４に記載のスライダー。
【請求項５７】
第１締結部材および第２締結部材と一緒に使用するためのスライダーであって、該第１締結部材および第２締結部材は、長軸に沿って向いた合わせ面を備え、該第１および第２締結部材の長手長さに沿って長手方向に当該スライダーを移動させたときに解放可能にかみ合うように適合しており、当該スライダーが、
当該スライダーが移動したときに、該第１および第２締結部材の少なくとも一方と回転可能に係合するための手段を含むスライダー本体を備える、スライダー。
【請求項５８】
前記回転可能に係合するための手段が、ローラー、車輪および球状ベアリングのうち１以上を備える、請求項５７に記載のスライダー。
【請求項５９】
第１合わせ面を含む第１締結部材と、
第２合わせ面を含む第２締結部材であって、該第２合わせ面は該第１合わせ面と解放可能にかみ合わせるために該第１合わせ面に略対向して配置されるように適合している、第２締結部材と、
該第１合わせ面を該第２合わせ面と解放可能にかみ合わせるためのスライダーと、
該第１締結部材の第１長手端に固着された停止ブロックであって、該停止ブロックは少なくとも第１把持位置および第２解放位置を有し、該スライダー本体が該停止ブロックの受容面に接触するときに該スライダーは該停止ブロックを該第１把持位置から該第２解放位置へと移動させ、該第２締結部材の第１長手端の把持部が該第２解放位置にて該停止ブロックの中に送り込まれそして該スライダーが該停止ブロックから離れて該閉じ方向に進められて該停止ブロックを該第１把持位置に配置するときに該停止ブロックは該停止ブロック内部で少なくとも該把持部を解放可能に固定する、停止ブロックと
を備える締結システム。
【請求項６０】
前記スライダーの閉じ端がくさび形状を備える、請求項５９に記載の締結システム。
【請求項６１】
前記停止ブロックが複数のリブ付き係合面を含む内側面を備える、請求項５９に記載の締結システム。
【請求項６２】
少なくとも第１締結部材および第２締結部材と一緒に使用するためのスライダーであって、該第１締結部材は第１合わせ面を含み、該第２締結部材は第２合わせ面を含み、該第１合わせ面および第２合わせ面は、長軸に沿って向いており、該第１および第２締結部材の長手長さに沿って長手方向に当該スライダーを移動させたときに解放可能にかみ合うように適合しており、当該スライダーが、
開き端および閉じ端を含むスライダー本体であって、該開き端は上側部分および下側部分ならびに該上側部分と該下側部分の間の中間部分を有し、該中間部分は、当該スライダーを開き方向に移動させたときに、該第１締結部材の第１合わせ面と該第２締結部材の第２合わせ面との間に位置させるため該開き端のあたりに位置し、該スライダー本体は当該スライダーを開閉する動きの間に該締結部材がスライドする経路を規定し、該締結部材の少なくとも１つについての該経路は該長軸に沿って直線である、スライダー本体を備える、スライダー。
【請求項６３】
第１合わせ面を含む第１締結部材と、
第２合わせ面を含む第２締結部材であって、該第２合わせ面は該第１合わせ面と解放可能にかみ合わせるために該第１合わせ面に略対向して配置されるように適合している、第２締結部材と、
該第１合わせ面を該第２合わせ面と解放可能にかみ合わせるためのスライダーと、
該第２締結部材に取り付けられた上部停止部であって、該上部停止部は該第１締結部材の第１合わせ面と解放可能にかみ合わせるための上部停止部合わせ面を備える、上部停止部と
を備える締結システムであって、該スライダーが該上部停止部に進められるときに、該スライダーは該第１締結部材の第１合わせ面を該上部停止部合わせ面と対になるように揃える、締結システム。